(57)【特許請求の範囲】
【請求項１】
筐体に設けた開口を自在に開閉する蓋装置を備える携帯機器において、
前記蓋装置は、
前記開口を閉蓋する蓋体と、
半固体シール材と、
前記半固体シール材が充填されるシール材充填槽と、
前記筐体の前記蓋体と接する面にあって前記開口を囲繞するとともに、前記シール材充填槽と連通するシール材出入口と、
前記シール材充填槽と連通するとともに、前記蓋体が前記開口を閉蓋するときに、前記蓋体の一部が挿入される挿入口と、を備える
ことを特徴とする携帯機器。
【請求項２】
前記蓋体は、前記筐体に摺動自在に支持されて、
前記蓋体が前記開口を閉蓋するときに、前記蓋体の摺動方向先端が前記挿入口に挿入される
ことを特徴とする請求項１に記載の携帯機器。
【請求項３】
前記開口の内部にコネクタを備える
ことを特徴とする請求項１又は請求項２に記載の携帯機器。
【発明の詳細な説明】
【技術分野】
【０００１】
本発明は、筐体の内部空間と外部空間を連絡する開口を自在に開閉する蓋装置を備える携帯機器に関する。
【背景技術】
【０００２】
携帯機器、例えば、携帯用電話機、携帯情報端末、ノート型パーソナルコンピュータ等の筐体には、内部空間と外部空間を連絡する開口を備えるものがある。例えば、該開口を通して、ケーブル等を筐体の内部空間に挿入して、該ケーブル等を筐体の内部に装置されたコネクタと接続する。あるいは、該開口から筐体の内部空間にメモリカード等を挿入して、筐体の内部に装置されたメモリカード用スロットに装着する。
【０００３】
また、かかる携帯機器の中には、該開口を閉蓋して、水や埃の侵入を防止するコネクタカバーを備えるものがある。
【０００４】
例えば、特許文献１には、コネクタカバーの金属製環状突起部の外周に設けた防水リングで、金属製環状突起部と開口部の間の隙間をシールする電子機器が開示されている。
【先行技術文献】
【特許文献】
【０００５】
【特許文献１】特許第３９９１５４６号公報
【発明の概要】
【発明が解決しようとする課題】
【０００６】
特許文献１に開示された電子機器は、コネクタカバーの金属製環状突起部と開口部の間の隙間を防水リングでシールするので、十分な防塵性や防水性が確保される。
【０００７】
しかしながら、該電子機器は、防水リングがコネクタカバーの外周に露出しているので、コネクタカバーを電子機器から取り外した時に、防水リングを傷つけたり、防水リングにゴミが付着したりする恐れがあった。そのために、電子機器の防塵性や防水性が損なわれる恐れがあった。
【０００８】
本発明は、このような事情に鑑みてなされたものであり、筐体に開口する開口を自在に開閉する蓋装置を備える携帯機器であって、該開口を確実にシールすることができて、しかも、シール材の汚損や破損の危険が小さい携帯機器を提供することを目的とする。
【課題を解決するための手段】
【０００９】
上記課題を解決するために、本発明に係る携帯機器は、筐体に設けた開口を自在に開閉する蓋装置を備える携帯機器において、前記蓋装置は、前記開口を閉蓋する蓋体と、半固体シール材と、前記半固体シール材が充填されるシール材充填槽と、前記筐体の前記蓋体と接する面にあって前記開口を囲繞するとともに、前記シール材充填槽と連通するシール材出入口と、前記シール材充填槽と連通するとともに、前記蓋体が前記開口を閉蓋するときに、前記蓋体の一部が挿入される挿入口と、を備えることを特徴とする。
【００１０】
前記蓋体は、前記筐体に摺動自在に支持されて、前記蓋体が前記開口を閉蓋するときに、前記蓋体の摺動方向先端が前記挿入口に挿入されるようにしてもよい。
【００１１】
あるいは、前記開口の内部にコネクタを備えるようにしてもよい。
【発明の効果】
【００１２】
本発明によれば、閉蓋時には、シール材出入口から膨出した半固体シール材が、開口の周縁において筐体と蓋体の間の隙間を塞ぐので、開口を確実にシールすることができる。一方、開蓋時には、半固体シール材はシール材充填槽に引き戻され、筐体の外に漏出しないので、半固体シール材が破損、汚損する危険が小さくなる。
【図面の簡単な説明】
【００１３】
【図１】本発明の実施形態の一例を示す携帯電話端末の斜視図である。
【図２】蓋装置を筐体の外側から見た外形図である。
【図３】蓋装置の断面図である。
【図４】蓋装置の変形例を示す断面図である。
【図５】蓋装置の別の変形例を示す断面図である。
【発明を実施するための形態】
【００１４】
以下、本発明の具体的な実施形態を、図面を参照しながら説明する。
【００１５】
図１に示した携帯電話端末１は本発明に係る携帯機器の一例であり、第１の筐体２と第２の筐体３とから構成され、両者はヒンジ軸４を介して、回動自在に連結されている。そして、第１の筐体２の側面には、コネクタカバー装置５を備えている。
【００１６】
図２は、コネクタカバー装置５を第１の筐体２の外側から見た外形図である。図２に示すように、コネクタカバー装置５は、コネクタカバー６を備える。コネクタカバー６は、第１の筐体２に形成されたレール溝７に支持されて、開位置（図２（ａ）参照）と閉位置（図２（ｂ））の間で自在に摺動する。また、コネクタカバー装置５は、開口８を備える。開口８は第１の筐体２の内部と外部を連絡する。また、開口８の奥（第１の筐体２の内部）には、図示しないコネクタが備えられて、該コネクタは外部から開口８を通って挿通される信号ケーブルと連結される。
【００１７】
また、図２（ｃ）に示すように、コネクタカバー６の上下端にはレール１０が形成されて、レール１０はレール溝７に係合する。コネクタカバー６の前端（閉位置に近い端）には、シール材押し出し爪１１が形成されている。シール材押し出し爪１１の作用については、後述する。
【００１８】
さて、図３はコネクタカバー装置５を図２（ａ）のＡＡ’線で切断した断面図であり、コネクタカバー６が開位置にある状態（図３（ａ））、開位置と閉位置の間にある状態（図３（ｂ））、及び閉位置にある状態（図３（ｃ））を、それぞれ示している。なお、図３においては、コネクタカバー装置５の上方が第１の筐体２の内部の空間に相当し、下方が第１の筐体２の外部に相当する。
【００１９】
図３に示すように、第１の筐体２（正確に言えば、第１の筐体２の外郭を構成する殻体の内部）には、シール材充填槽１２が形成されている。シール材充填槽１２はシール材出入口９と連通している。また、第１の筐体２の第１の筐体２のシール材押し出し爪１１と対向する部位には挿入口１４があって、挿入口１４は、シール材充填槽１２と連通している。
【００２０】
コネクタカバー６を閉位置方向にスライドさせると、コネクタカバー６の先端のシール材押し出し爪１１は挿入口１４を通って、シール材充填槽１２の内部に進入する（図３（ｂ）参照）。シール材押し出し爪１１がシール材充填槽１２の内部に進入すると、シール材充填槽１２に充填された半固体シール材１４の一部がシール材出入口９から押し出される。そして、コネクタカバー６が閉位置に達する（図３（ｃ）参照）と、シール材充填槽１２から押し出された半固体シール材１４が、開口８の周縁において、筐体２とコネクタカバー６の間の隙間を塞ぐ。
【００２１】
このように、シール材出入口９を通ってシール材充填槽１２から押し出された半固体シール材１４が、開口８の周縁において、筐体２とコネクタカバー６の間の隙間を塞ぐので、開口８は塵埃密、水密に閉蓋される。
【００２２】
逆に、コネクタカバー６を閉位置（図３（ｃ））から開位置（図３（ａ））に戻すと、シール材押し出し爪１１が半固体シール材１４に加えていた圧力が消滅するので、シール材出入口９を通ってシール材充填槽１２の外に押し出されていた半固体シール材１４は、シール材充填槽１２の内部に戻る。そのため、開口８を開放した状態では、半固体シール材１４は第１の筐体２の外部に露出しない。
【００２３】
半固体シール材１４には、ポリビニルアルコールの水溶液と硼砂の水溶液を混合して、ポリビニルアルコールの分子を架橋結合させた、俗にスライムと呼ばれる材料を使用する。また、半固体シール材１４は、ポリビニルアルコールの水溶液と硼砂の水溶液の混合物を、半固体化する前（流動性を失う前）に、シール材充填槽１２に注入充填して形成される。あるいは、図示しない成形型に前記混合物を注入充填して、所定の形状に成形したものをシール材充填槽１２の中に組み込むようにしても良い。
【００２４】
以上説明したように、コネクタカバー６を閉位置にすると、シール材充填槽１２の内部に充填された半固体シール材１４が、開口８の周縁において、第１の筐体２とコネクタカバー６を間の隙間を塞ぐので、開口８は塵埃密、水密に閉蓋される。そのため第１の筐体２の内部に装置された電子部品等は塵埃や水分から十分に保護される。また、コネクタカバー６が開位置に有る場合は、半固体シール材１４がシール材充填槽１２の内部に引き込まれるので、半固体シール材１４を汚したり傷つけたりすることがない。そのため、半固体シール材１４の汚損や破損を抑制できる。また、汚損や破損に起因するシール性能の低下を抑制できる。
【００２５】
また、携帯電話端末１は開口８の内部にコネクタを備えているので、コネクタカバー装置５を開放するだけで、ケーブル等を携帯電話端末１の内部に引き込んで接続することができる。ケーブル等を接続しないときは、コネクタカバー装置５を閉鎖するだけで、コネクタは塵埃や水分から十分に保護される。
【００２６】
また、コネクタカバー６は第１の筐体２に摺動自在に支持されて、開口８を開放している間も第１の筐体２に保持されているので、コネクタカバー６の紛失や破損の危険が小さい。
【００２７】
また、上述の実施形態は本発明の実施形態の例示であって、本発明の技術的範囲は上記説明によって限定されない。本発明は特許請求の範囲に記載された技術的思想の限りにおいて、応用、変形あるいは改良して実施することができる。
【００２８】
例えば、上述の実施形態では、半固体シール材１４に、ポリビニルアルコールに硼砂を加えてポリビニルアルコールの分子を架橋結合させた、俗にスライムと呼ばれる材料を使用する例を示したが、半固体シール材１４の素材は、スライムには限定されない。半固体、つまり固体と液体の中間の性質を備える材料、内力と外力が釣り合った状態では所定の形状を保つが、一部を押圧すればその影響が他の部位に及ぶような材料を、任意に選択することができる。
【００２９】
また、上述の実施形態では、コネクタカバー６が開位置と閉位置の間でスライドする例を示したが、他の形態を選択することもできる。例えば、図４に示すように、ヒンジ１５を介してコネクタカバー６を第１の筐体２に回動自在に取り付けて、コネクタカバー６が開位置（図４（ａ）参照）と閉位置（図４（ｂ））の間で回動するようにしても良い。あるいは、図５に示すように、コネクタカバー６を第１の筐体２に着脱自在に取り付けて、コネクタカバー６を第１の筐体２に装着すると、シール材押し出し爪１１が半固体シール材１４をシール材出入口９から押し出す（図５（ｂ）参照）ようにしても良い。
【００３０】
また、上述の実施形態では、携帯機器の一例として携帯電話端末１を示したが、本発明の携帯機器は、携帯電話端末１には限定されない。例えば、電子卓上計算機、電子辞書、携帯情報端末（ＰＤＡ：Personal Digital Assistant）、ノート型パーソナルコンピュータ、携帯オーディオ機器、電子カメラ、携帯テレビ受信器、携帯通信機器等、各種の携帯機器に適用することができる。
【符号の説明】
【００３１】
１…携帯電話端末，２…第１の筐体，３…第２の筐体，４…ヒンジ軸，５…コネクタカバー装置，６…コネクタカバー，７…レール溝，８…開口，９…シール材出入口，１０…レール，１１…シール材押し出し爪，１２…シール材充填槽，１３…挿入口，１４…半固体シール材，１５…ヒンジ 
【図１】
0005413976.tif 000002
【図２】
0005413976.tif 000003
【図３】
0005413976.tif 000004
【図４】
0005413976.tif 000005
【図５】
0005413976.tif 000006